(57)【特許請求の範囲】
【請求項１】
管理員室に設置されている管理室親機と、各住戸に設置されている住宅情報盤とを具備し、制御信号線と音声信号線とを介して、上記住宅情報盤が上記管理室親機に接続され、上記管理室親機から上記住宅情報盤へ一斉放送する防災設備において、
上記住戸の室内に設けられている火災警報器であって、スピーカを具備する複数の火災警報器と；
上記音声信号線を介して、上記管理室親機から上記住宅情報盤が受信した音声信号を、上記複数の火災警報器のスピーカに出力する音声信号出力手段と；
上記管理室親機から上記住宅情報盤が受信した音声信号を、上記複数の火災警報器のスピーカに出力するかどうかを、上記火災警報器毎に設定する設定手段と；
を備えたことを特徴とする防災設備。
【請求項２】
管理員室に設置されている管理室親機と、各住戸に設置されている住宅情報盤とを具備し、制御信号線と音声信号線とを介して、上記住宅情報盤が上記管理室親機に接続され、上記管理室親機から上記住宅情報盤へ一斉放送する防災設備において、
上記住戸の室内に設けられている火災警報器であって、スピーカを具備する複数の火災警報器と；
上記複数の火災警報器に設けられている受信手段であって、上記制御信号線を介して、上記管理室親機が出力した放送開始信号を受信する受信手段と；
上記受信手段が上記放送開始信号を受信すると、一斉放送が行われる旨の音声信号を、上記スピーカに出力する音声信号出力回路と；
上記管理室親機が出力した放送開始信号を上記受信手段が受信すると、一斉放送が行われる旨の音声信号を、上記複数の火災警報器のスピーカに出力するかどうかを、上記火災警報器毎に設定する設定手段と；
を備えたことを特徴とする防災設備。
【発明の詳細な説明】
【技術分野】
【０００１】
本発明は、防災設備に関する。
【背景技術】
【０００２】
各住戸に設置した住宅情報盤と、管理員室に設置した管理室親機と、集合玄関に設置した集合玄関機とによって、集合住宅のインターホンシステムが構成され、それぞれの機器間では、インターホン通話を実行するシステムが知られている（たとえば、特許文献１参照）。
【０００３】
また、管理室親機からは、各住戸の住宅情報盤へ向けて、一斉放送を行うことができ、たとえばエレベータの点検等、全住戸に伝えるべき内容があるときに、管理室親機に設けられている放送釦を、管理員が押し、一斉放送を行う。
【特許文献１】特開２００６−２２２８８７号公報
【発明の開示】
【発明が解決しようとする課題】
【０００４】
しかし、一斉放送時において、住戸では、住宅情報盤のスピーカからだけ、放送内容が音声出力されるので、住宅情報盤が設置されている室から離れた室に居住者がいる場合、放送内容を聞き逃す可能性があるという問題がある。
【０００５】
本発明は、住宅情報盤が設置されている室から離れた室に居住者が存在している場合でも、その居住者が、管理員室からの放送内容を聞き逃さないようにすることができる防災設備を提供することを目的とする。
【課題を解決するための手段】
【０００６】
本発明は、管理員室に設置されている管理室親機と、各住戸に設置されている住宅情報盤とを具備し、制御信号線と音声信号線とを介して、上記住宅情報盤が上記管理室親機に接続され、上記管理室親機から上記住宅情報盤へ一斉放送する防災設備において、上記住戸の室内に設けられている火災警報器であって、スピーカを具備する複数の火災警報器と、上記音声信号線を介して、上記管理室親機から上記住宅情報盤が受信した音声信号を、上記複数の火災警報器のスピーカに出力する音声信号出力手段と、上記管理室親機から上記住宅情報盤が受信した音声信号を、上記複数の火災警報器のスピーカに出力するかどうかを、上記火災警報器毎に設定する設定手段とを備えたことを特徴とする防災設備である。
【発明の効果】
【０００７】
本発明によれば、住宅情報盤が設置されている室から離れた室に居住者が存在している場合でも、その居住者が、管理員室からの放送内容を聞き逃すことがないという効果を奏する。
【発明を実施するための最良の形態】
【０００８】
発明を実施するための最良の形態は、次の実施例である。
【０００９】
防災設備１００は、制御信号線Ｌｃを介して、管理室親機から放送開始信号を受信したことをきっかけに、火災警報器のスピーカから、一斉放送が行なわれる旨（予告）を音声出力する実施例である。
【実施例１】
【００１０】
図１は、本発明の実施例１である防災設備１００の概要を示すブロック図である。
【００１１】
防災設備１００は、住戸内に設けられている住宅情報盤ＪＢ１０１、…、ＪＢ３０３、…と、集合玄関に設けられている集合玄関機１０と、上記住宅情報盤と集合玄関機１０との間におけるインターホン通話を制御する制御装置２０と、管理室親機３０とを有する。なお、管理室親機３０は、管理員室に設けられている管理室親機であり、住宅情報盤ＪＢ１０１、…、３０３、…と基本的には同様な機能を有し、制御装置２０に接続されている。なお、管理室親機３０には放送釦３１が設けられている。
【００１２】
これらの機器は、制御信号線Ｌｃと音声信号線Ｌａとを介して接続され、必要に応じて映像信号線にも接続される。
【００１３】
１０１号室の住戸用として、住宅情報盤ＪＢ１０１が設けられ、３０３号室の住戸用として、住宅情報盤ＪＢ３０３が設けられている。また、住宅情報盤ＪＢ１０１に、玄関子機Ｃ１０１が接続され、住宅情報盤ＪＢ３０３に、玄関子機Ｃ３０３が接続されている。
【００１４】
以後、住宅情報盤ＪＢ１０１、…、ＪＢ３０３、…の総称として、住宅情報盤ＪＢの表記を使用する。また、玄関子機Ｃ１０１、…、Ｃ３０３、…の総称として、玄関子機Ｃの表記を使用する。
【００１５】
図２は、住宅情報盤ＪＢを示す斜視図である。
【００１６】
住宅情報盤ＪＢの表面には、操作部ＯＰと、通話釦Ｂ７と、表示手段としての表示部ＤＰと、注意灯ランプＬＡ１とが設けられている。
【００１７】
操作部ＯＰには、メニュー釦Ｂ１と、上移動釦Ｂ２と、下移動ボタンＢ３と、決定釦Ｂ４と、火災釦Ｂ５と、復旧ボタンＢ６とが設けられている。
【００１８】
図３は、防災設備１００において、主に、住宅情報盤ＪＢと火災警報器６０とを具体的に示すブロック図である。
【００１９】
防災設備１００は、住戸に設置されている住宅情報盤ＪＢに火災警報器６０を接続し、管理室親機３０から、一斉放送を行う際に、上記火災警報器６０のスピーカ６４から、一斉放送が行われる旨（予告）を音声出力する防災設備である。
【００２０】
住宅情報盤ＪＢは、制御部４１と、呼出検出回路４２と、通話部４３と、マイクロホン４４と、スピーカ４５と、通話・放送切換スイッチＳＷ１と、通話切換スイッチＳＷ２とを有する。
【００２１】
また、住宅情報盤ＪＢは、制御信号送受信部５１と、報知音生成部５２と、音量補正部５３とを有する。
【００２２】
制御部４１は、住宅情報盤ＪＢの全体を制御する。
【００２３】
呼出検出回路４２は、玄関子機（ドアホン）Ｃの釦（図示せず）が操作されたことを検出して呼出信号を制御部４１に送る。
【００２４】
通話部４３は、マイクロホン４４、スピーカ４５に接続され、玄関子機Ｃや集合玄関機１０と通話する手段である。
【００２５】
通話・放送切換スイッチＳＷ１は、集合玄関機１０からの呼び出しがあり、操作部５５の通話釦Ｂ７が操作されると、端子ａに切り換えられ、集合玄関機１０とのインターホン通話が終了すると、端子ｂに切り換えられるスイッチである。
【００２６】
通話切換スイッチＳＷ２は、玄関子機Ｃの釦が押され、操作部５５の通話釦Ｂ７が操作されると、端子ａに切り換えられ、玄関子機Ｃとによるインターホン通話が終了すると、端子ｂに切り換えられるスイッチである。なお、通話切換スイッチＳＷ２は、通常、端子ａとは異なる端子ｂに切り換えられている。
【００２７】
制御信号送受信部５１は、管理室親機３０からの放送開始信号や集合玄関機１０からの呼出信号を受信し、放送開始信号や呼出信号を受信すると、その旨を制御部４１に知らせる。
【００２８】
報知音生成部５２は、玄関子機Ｃの釦や集合玄関機１０の呼出釦が押されたときに、「ピンポーン」等の報知音を生成する。音量補正部５３は、管理室親機３０から受信した一斉放送の音声信号の音量を補正する。
【００２９】
火災警報器６０は、制御回路６１と、火災検出回路６２と、音声信号出力回路６３と、スピーカ６４と、受信手段６６と、電池６７と、定電圧回路６８とを有する。
【００３０】
制御回路６１は、火災警報器６０の全体を制御する。火災検出回路６２は、火災センサ部を具備し、火災を検出する。音声信号出力回路６３は、火災検出回路６２が火災を検出したときに備えて、「火災が発生しました」等の音声信号を記憶し、また、受信手段６６が放送開始信号を受信したときに備えて、「これから、一斉放送を行います」等の音声信号を記憶する。
【００３１】
スピーカ６４は、音声信号出力回路６３が出力した音声信号に応じた音声を出力する。
【００３２】
受信手段６６は、制御信号線Ｌｃを経由し住宅情報盤ＪＢ内で分岐された放送開始信号を受信する。電池６７は、定電圧回路６８に電力を供給する。定電圧回路６８は、火災警報器６０内の各回路に供給する電力の電圧を一定に維持する。
【００３３】
次に、上記実施例の動作について説明する。
【００３４】
まず、住宅情報盤ＪＢの一般的動作について説明する。
【００３５】
集合玄関機１０から呼び出しがあると、制御信号線Ｌｃを介して、呼び出し先の住戸の住宅情報盤ＪＢに呼出信号が送られる。そして、制御信号送受信部５１が、上記呼出信号を受信し、報知音生成部５２が「ピンポーン」と呼出音を鳴らす。このときに、通話・放送切換スイッチＳＷ１は、放送側の端子ｂに接続され、通話切換スイッチＳＷ２が集合玄関機１０側の端子ｂに接続されており、操作部５５に設けられている通話釦Ｂ７を住居人が押すと、制御部４１の制御によって、通話・放送切換スイッチＳＷ１が通話側の端子ａに切り換わる。このようにして、通話部４３と集合玄関機１０にある通話部（図示せず）とが接続され、集合玄関に居る人と、住居人とがインターホン通話を行うことができる。
【００３６】
次に、一斉放送する場合の動作について説明する。
【００３７】
まず、管理室親機３０において、管理員が放送釦３１を押すと、放送開始信号が出力され、制御信号線Ｌｃを介して、上記放送開始信号を、全住戸の制御信号送受信部５１が受信する。これによって、集合住宅の全住戸に一斉放送が行われる。
【００３８】
つまり、放送開始信号を、全住戸の制御信号送受信部５１が受信すると、制御部４１が、通話・放送切換スイッチＳＷ１を端子ｂ側に切り換え（通常時は端子ｂ側であるが、インターホン通話時であれば端子ｂに切り換える）、音量補正部５３を介して、管理室親機３０から、一斉放送の内容が、スピーカ４５から流れる。たとえば、「これから、エレベータの点検を行います」、または、「これから、共用部の火災報知システムの点検を行います」の一斉放送を行う。
【００３９】
一方、制御信号線Ｌｃを介して、管理室親機３０が出力した放送開始信号を火災警報器６０の受信手段６６が受信し、これによって、制御回路６１が、音声信号出力回路６３を起動させ、「これから、一斉放送を行います。住宅情報盤の近くにお越し下さい」等、予め記憶された音声メッセージをスピーカ６４からアナウンスし、住宅情報盤ＪＢの近くに移動することを、住居人に促す。
【００４０】
このアナウンスに従って住居人が住宅情報盤ＪＢに移動すれば、住宅情報盤ＪＢと離れた室内に同居人が居ても、住宅情報盤ＪＢのスピーカ６４から、一斉放送の内容を聞くことができるので、一斉放送の内容を居住者が確実に聞くことができる。
【００４１】
なお、図３では、火災警報器６０が１台のみ記載されているが、住戸の各室内に、火災警報器６０を設置するようにしてもよい。
【実施例２】
【００４２】
図４は、本発明の実施例２である防災設備２００を示すブロック図である。
【００４３】
防災設備２００は、居住者が住宅情報盤ＪＢと離れた室内に居ても、火災警報器６０のスピーカ６４から、一斉放送の内容を聞くことができる実施例である。
【００４４】
防災設備２００は、基本的には、防災設備１００と同じであるが、火災警報器６０ａおよび住宅情報盤の変更点について、説明する。
【００４５】
住宅情報盤ＪＢの切換スイッチＳＷ３は、管理室親機３０が放送開始信号を出力して制御信号送受信部５１がその放送開始信号を受信すると、オンし、一斉放送が終了すると、オフするスイッチである。
【００４６】
また、スピーカ６４は、音声信号線Ｌａ、通話・放送切換スイッチＳＷ１、音量補正部５３、インタフェース回路６５を介して受信した音声信号（一斉放送の音声信号）に応じた音声を出力する。インタフェース回路６５は、音声信号線Ｌａ、通話・放送切換スイッチＳＷ１、音量補正部５３、インタフェース回路６５を介して受信した音声信号をスピーカ６４に出力する場合、インピーダンスのマッチングを行う。
【００４７】
なお、制御部４１と、通話・放送切換スイッチＳＷ１と、音量補正部５３と、切換スイッチＳＷ３とは、音声信号線を介して、管理室親機から住宅情報盤が受信した音声信号を、火災警報器６０ａのスピーカ６４に出力する音声信号出力手段の例である。
【００４８】
火災警報器６０ａは、火災警報器６０において、受信手段６６が削除され、制御回路６１の代わりに制御回路６１ａが設けられている。制御回路６１ａは、火災検出回路６２が火災を検出したときに、音声信号出力回路６３に、「火災が発生しました」等の警報音声を出力させる。しかし、制御回路６１ａは、防災設備１００のように「これから、一斉放送を行います。住宅情報盤の近くにお越し下さい」等の音声信号を音声信号出力回路６３に出力させない回路である。
【００４９】
次に、防災設備２００の動作について説明する。
【００５０】
放送開始信号を、全住戸の制御信号送受信部５１が受信すると、制御部４１が、通話・放送切換スイッチＳＷ１を端子ｂ側に切り換え、音量補正部５３を介して、管理室親機３０から、一斉放送の内容が、住宅情報盤ＪＢのスピーカ４５から流れる。たとえば、「これから、エレベータの点検を行います」、または、「これから、共用部の火災報知システムの点検を行います」等の共用施設部分にかかわる一斉放送を行う。
【００５１】
また、この際、制御部４１が、切換スイッチＳＷ３をオンし、通話・放送切換スイッチＳＷ１、音量補正部５３、切換スイッチＳＷ３を介して、火災警報器６０ａのスピーカ６４が音声信号線Ｌａに接続され、火災警報器６０のスピーカ６４からも、上記と同じ一斉放送の内容が出力される。
【００５２】
このために、防災設備２００によれば、居住者が住宅情報盤ＪＢと離れた室内に居ても、住宅情報盤ＪＢとは違う室内に設置されている火災警報器６０ａのスピーカ６４から、一斉放送の内容を聞くことができるので、一斉放送の内容を居住者が確実に聞くことができる。
【００５３】
なお、実施例１、２において、管理室親機３０からの放送内容を火災警報器６０、６０ａから出力するが、たとえば、この火災警報器６０、６０ａを、その他の音も出力できる警報装置として利用するようにしてもよい。
【００５４】
上記その他の音は、たとえば、報知音生成部５２が出力する呼出音である。実施例２の構成にあっては、報知音生成部５２が動作して「ピンポーン」等の呼出音を出力するときには、切換スイッチＳＷ３をオンにして、スピーカ６４から呼出音である「ピンポーン」を出力させるようにしてもよい。また、実施例１にあっては、音声信号出力回路６３に「呼出音が出力されています」等の音声を記憶させ、集合玄関機等からの呼出信号を受信手段６６が受信したら、音声信号出力回路６３を起動し、「呼出音が出力されています」の音声を、スピーカ６４から出力させるようにしてもよい。
【００５５】
実施例１、２において、住戸の各部屋に設置してある全ての火災警報器から放送内容を出力するが、子供部屋等では、音を出したくないという要求が考えられる。よって、住宅情報盤ＪＢに切換スイッチＳＷ３を動かすかどうかを設定するスイッチ（図示せず）を設け、この設定スイッチの不作動モードがオンになっているときは、放送開始信号があっても、切換スイッチＳＷ３をオンさせないように制御する。この設定スイッチは、相手先に応じて設定してもよく、たとえば、管理室親機３０からの信号であれば、切換スイッチＳＷ３をオンにするが、集合玄関機１０からの信号であれば、切換スイッチＳＷ３をオフにするように設定を代えてもよい。
【００５６】
また、実施１、２は、通話用の制御装置２０と管理室親機３０とが別々に設けられているが、これらが一つにまとまった複合盤と呼ばれる制御盤を設けるようにしてもよい。この場合、この複合盤が管理室親機としての機能を有し、放送釦を備えている。
【図面の簡単な説明】
【００５７】
【図１】本発明の実施例１である防災設備１００の概要を示すブロック図である。
【図２】住宅情報盤ＪＢを示す斜視図である。
【図３】防災設備１００において、主に、住宅情報盤ＪＢと火災警報器６０とを具体的に示すブロック図である。
【図４】本発明の実施例２である防災設備２００を示すブロック図である。
【符号の説明】
【００５８】
１００…防災設備、１０…集合玄関機、２０…制御装置、
３０…管理室親機、３１…放送釦、ＪＢ…住宅情報盤、
４１…制御部、４４…マイクロホン、４５…スピーカ、
５１…制御信号送受信部、５２…報知音生成部、５３…音量補正部、
５４…表示部、５５…操作部、
６０…火災警報器、６１…制御回路、６２…火災検出回路、６３…音声信号出力回路、
６４…スピーカ、６６…受信手段。
【図１】
0005124324.tif 000002
【図２】
0005124324.tif 000003
【図３】
0005124324.tif 000004
【図４】
0005124324.tif 000005